(57)【特許請求の範囲】
【請求項１】
鍋のフランジ部に金属製のフランジリングを配してなり、前記フランジリング下部に穴を設けてなる炊飯器。
【発明の詳細な説明】
【０００１】
【発明の属する技術分野】
本発明は、一般家庭に使用する炊飯器の鍋に関するものである。
【０００２】
【従来の技術】
従来、この種の炊飯器は、例えば、図７に示されるような構成であった。図において、１は上面が開口する円筒上のボディで、このボデイ１内部には、内鍋収納部である保護枠２が配設され、かつこの保護枠２は非金属材料により有底円筒状に成形され、保護枠２の上端部は前記ボデイ１の上端部内周囲に係合されている。
【０００３】
３は上端開口部に外方に突出するフランジ４を形成した内鍋で、この内鍋３はフランジ４を上枠２３の上面に懸架状態に載置するとにより、保護枠２内に着脱自在に配設されている。保護枠２の外側には誘導コイル５が配設され、この誘導コイル５は、内鍋３の外周面までの距離が一定となるように、前記保護枠２の外周下部に耐熱性樹脂材料で成形されたコイルカバー６により支持されている。
【０００４】
７は合成樹脂性の外蓋で、この外蓋７は上枠２３の上部に一体成形されたヒンジ部材８にピン９を介して回動自在に支持されている。１０は内カバーで、この内カバー１０は外蓋７の内面に固着されている。この内カバ−１０には発熱体である放熱板１１が固定されており、この放熱板１１の上部にはコイル支持台１３に支持されている誘導コイル１２が位置している。この誘導コイル１２の電磁作用により放熱板１１が発熱するのである。そして、この放熱板１１には放熱板１１の温度検知用のセンサ−１４がアルミテ−プにより直接貼り付けられており、放熱板１１の温度を調節しているのである。
【０００５】
１６はヒンジ部材８と反対側に位置して保護枠２の上端部に一体成形された係合部材で、この係合部材１６と対向するように外蓋７に係合レバ−１７がピン１８を介して回動可能に指示されている。そして、鍋パッキン２０は、前記外蓋を閉じたときに内鍋３のフランジ４に圧接してその内鍋３を密閉するようになっている。
【０００６】
また、２４は蒸気筒であり、おねばが外部に吹きこぼれるのを防止している。２５は、制御基板であり、誘導コイル１２への通電状態や操作表示部２６の信号を入出力制御している。また、２７は冷却ファンであり、制御基板２５や誘導コイル５を冷却している。２８は制御基板２５の上面を覆う軟質シートで、炊飯器の入出力表示が印刷されている。
【０００７】
【発明が解決しようとする課題】
上記のように従来の炊飯器では、例えば、樹脂でフランジを覆う持ち手のような構成のものもあるが、樹脂は強度が必要であり、このため大きくなり、また、熱劣化するため耐熱樹脂を多く使用することとなり、コンパクト化と省資源化に逆行するものであった。
【０００８】
本発明は、上記課題を解決するもので、鍋を持ち安く、しかもフランジをコンパクトにした炊飯器を実現するものである。
【０００９】
【課題を解決するための手段】
上記課題を解決するために本発明は、フランジ部に金属製のフランジリングを配したものである。
【００１０】
【実施例】
本発明の一実施例について、図１〜図６を用いて説明する。
【００１１】
図に開示されるように、本発明の特徴は、鍋のフランジ部にフランジリングを配置することにより、鍋を持ち安くし、さらに、フランジを小さくしてコンパクトな構造の炊飯器を実現し、使い勝手の良い炊飯器にするための工夫点にある。当該工夫点について、順に説明する。３１は炊飯器本体である。鍋３２周辺の内容について図１〜図３を用いて説明する。
【００１２】
図１において、３３は鍋３２の上面外周部のフランジ３４の外側全周に固定したフランジリングである。このフランジリング３３は金属性であり、ステンレスあるいはアルミ材料で作られ、コンパクトで、しかも、十分な強度を持たせることができるのである。また、後述するようにネジ締め等の２次加工も不必要である。即ち、図３において、このフランジリング３３のカシメは、まずフランジリング３３の上面側を鍋３２のフッ素面３５側に当て、この後、フランジリング３３の下面側を徐々にカーリングさせ、鍋３２の裏面側３２ｂ側に固定する方法が一般的である。
【００１３】
図２において、フランジ３４の上面には鍋３２内で発生した蒸気をシールする鍋パッキン４４が設けられている。図３に示すように、寸法Ａが小さいほどなべパッキン４４は省スペース化でき、このことにより、炊飯器本体も小さくできるのである。鍋３２のフランジリング３３は、図３に示すように鍋３２の板厚より大きい厚み寸法を有するとともに、フランジリング３３はフランジ３４の上面側の固定部の高さＡよりフランジ３４の下面側の固定部の高さＢを大きくし、フランジリング３４の端部エッジ３６が直接鍋３２のフッソ面３５と当接しないように設定されている。これは、フランジリング３４が金属製であり、板厚が０．２５〜０．３ｍｍであり極めて薄く加工でき、樹脂で加工した場合の２〜３ｍｍと比較して省スペース化ができるのである。即ち、樹脂に比較し金属の方がスペースが確保でき鍋パッキン４４がフランジリング３４の上面と当たりにくくなるのである。さらに、フランジリング３４の内面側は鍋３２の端面とわずかな隙間Ｃを設けている。
【００１４】
一方、図４に示すように、フランジリング３４の内面側には充填部材３７を封入し、また、この充填部材３７はグリースでもよい。これらの封入は前述のようにカーリング時に入れてもよい。
【００１５】
さらに、図５に示すように、フランジリング３４と鍋３２の勘合部３８に保護シール３９を設けている。また、鍋３２は米等の調理物を入れる内面側はフッ素３５で覆われ、ステンレス４３とフッ素面３５の間には熱伝導のよいアルミ４２が用いられる。さらに、フランジリング３４の下部に穴４０を設けている。穴４０は、複数個でもよい。また、フランジリング３４の外周面４１を鏡面としたものである。また、図２に示すように、パッキン４４が万一変形しても、端面エッジ３６に当接してシール性が確保される。
【００１６】
次に、実施例の具体的な、作用について説明する。フランジリング３３は鍋３２の上面外周部のフランジ３４の外側全周に固定し、フランジリング３３は、鍋３２の板厚より大きい厚み寸法を有するために持ち安い鍋３２とフランジ３４を小さくしたコンパクトな構造の炊飯器を実現することができる。また、フランジ３４のエッジで手を怪我するなどを防止できるのである。フランジリング３３は鍋３２の板厚より大きい厚み寸法を有しているため、鍋３２の板厚を薄く、即ち、軽くできることができる。
【００１７】
また、フランジリング３３はフランジ３４の上面側の固定部の高さＡよりフランジ３４の下面側の固定部の高さＢを大きくしたことにより、持ち安いとともに、鍋パッキン４４側の寸法を省スペース化でき、コンパクト化が図れるのである。一方、フランジリング３３が設けられているため、持ち安く使い勝手は向上する。フランジリング３４の端部エッジ３６が直接鍋３２のフッソ面３５と当接しないように設定されているため鍋３２のアルミ表面を覆うフッ素被膜の傷つき防止ができる。
【００１８】
また、フランジリング３４の内面側は鍋３２の端面とわずかな隙間Ｃを設けているため、落下等の強い衝撃を受けたときでもフランジリング３４の弾性により鍋３２のフランジ３４が直接フランジリング３４との当接を防止できる。
【００１９】
また、フランジリング３４の内面側には充填部材３７を封入することにより、水分等が直接アルミ４２に触れることがなく、アルミの腐食を防止することができる。また、この充填部材３７はグリースでもよく、アルミの腐食を防止する第２の構成を提供することができる。フランジリング３４と鍋３２の勘合部３８に保護シール３９を設けることにより、鍋に使用するアルミ表面を覆うフッ素被膜の傷つき防止とアルミ表面の水付き防止ができる。
【００２０】
また、フランジリング３４の下部に穴４０を設けることにより、鍋３２のフランジ３４部の水抜きをする構成を提供することができ、さらに、フランジリング３４の外周面４１を鏡面とすることにより、持ち安いフランジリング３４の外観を向上させることと、錆び防止をすることができる。
【００２１】
【発明の効果】
以上のように、本発明によれば、鍋のフランジ部に金属製のフランジリングを配してなることにより、持ち安い鍋とフランジを小さくしたコンパクトな構造の炊飯器を実現することができる。
【００２２】
さらに、フランジリングの下部に穴を設けることにより、鍋のフランジ部の水抜きをする構成を提供することができる。
【図面の簡単な説明】
【図１】本発明の一実施例を示す炊飯器の鍋の要部断面図
【図２】同炊飯器の要部断面図
【図３】同炊飯器の鍋のフランジ部近辺の要部断面図
【図４】同炊飯器の鍋のフランジ部近辺の別の要部断面図
【図５】同炊飯器の鍋のフランジ部近辺の更に別の要部断面図
【図６】同炊飯器の鍋のフランジ部近辺の更に別の要部断面図
【図７】従来の炊飯器の断面図
【符号の説明】
３２  鍋
３３  フランジリング
３４  フランジ部
３５  フッソ面
３６  端面エッジ
３７  充填部材
３９  保護シール
４０  穴
Ａ    上面側の固定部の高さ
Ｂ    下面側の固定部の高さ
Ｃ    隙間
【図１】
0003617332.tif 000002
【図２】
0003617332.tif 000003
【図３】
0003617332.tif 000004
【図４】
0003617332.tif 000005
【図５】
0003617332.tif 000006
【図６】
0003617332.tif 000007
【図７】
0003617332.tif 000008